(57)【特許請求の範囲】
【請求項１】
四角柱形状の本体部と、前記本体部と一体に連設された四角錐台形状の先端部と、を備え、対向配置されたコネクタ雌端子に挿着して電気的接続を形成するコネクタ雄端子であって、前記コネクタ雌端子に対する挿着過程において前記コネクタ雌端子が摺動通過する領域である、前記本体部の対向する二つの平面部のみに凹部を設け、
前記凹部が、前記コネクタ雌端子の摺動通過方向に沿って延設された凹溝であって、前記凹溝の前縁が挿着方向に向かって開口し、後縁が閉塞された形状であり、前記凹溝の横断面形状がＵ字形状であることを特徴とするコネクタ雄端子。
【請求項２】
四角柱形状の本体部と、前記本体部と一体に連設された四角錐台形状の先端部と、を備え、対向配置されたコネクタ雌端子に挿着して電気的接続を形成するコネクタ雄端子であって、前記コネクタ雌端子に対する挿着過程において前記コネクタ雌端子が摺動通過する領域である、前記本体部の対向する二つの平面部のみに凹部を設け、
前記凹部が、前記コネクタ雌端子の摺動通過方向に沿って延設された凹溝であって、前記凹溝の平面視形状が、その前縁から後縁に向かって縮幅するＶ字形状であり、前記凹溝の前縁が挿着方向に向かって開口し、後縁が閉塞された形状であり、前記凹溝の底面は前記本体部の平面部と平行をなす平面形状をなしていることを特徴とするコネクタ雄端子。
【請求項３】
四角柱形状の本体部と、前記本体部と一体に連設された四角錐台形状の先端部と、を備え、対向配置されたコネクタ雌端子に挿着して電気的接続を形成するコネクタ雄端子であって、前記コネクタ雌端子に対する挿着過程において前記コネクタ雌端子が摺動通過する領域である、前記本体部の対向する二つの平面部のみに凹部を設け、
前記凹部が、前記コネクタ雌端子の摺動通過方向に沿って延設された凹溝であって、前記凹溝の前縁が挿着方向に向かって開口し、後縁が挿着方向に向かって下り勾配をなす斜面により、前記本体部の平面部に連続した形状をなし、前記凹溝の底面が前記平面部と平行をなす平面形状をなしていることを特徴とするコネクタ雄端子。
【発明の詳細な説明】
【技術分野】
【０００１】
本発明は、電気・電子機器用あるいは車載用の電気コネクタの雄側コネクタを構成するコネクタ雄端子に関する。
【背景技術】
【０００２】
電気コネクタについては、従来、コネクタ雌端子とコネクタ雄端子との接触部分の摩耗防止、挿着時の挿入抵抗の低減などを目的とする様々な工夫がなされているが、本発明に関連する技術として、例えば、特許文献１〜４に記載されたものがある。
【０００３】
特許文献１記載の「コネクタ」においては、コンタクトの特定部分のみの摩耗を防止するため、一対のばね性部材から構成されたソケットコンタクトと該ソケットコンタクトのばね性部材間に挟持されるようにして挿嵌されるピンコンタクトとからなり、ピンコンタクトとソケットコンタクトとの相互接触部位がピンコンタクトの挿嵌にしたがって変位するように構成されている。
【０００４】
特許文献２記載の「コネクタの雄端子構造」においては、雌端子のアーム片の表面に設けられた断面円弧状の突起との接触を緩和するためのガイド溝が、雄端子の軸線方向に沿って形成されている。
【０００５】
特許文献３，４記載の「雄端子」においては、接続時の抵抗力を低減するため、雌端子に対して接触する接触部を含む接続部の表面及び裏面のそれぞれに、挿入方向に沿って線状をなす一対の突出部が形成されている。
【先行技術文献】
【特許文献】
【０００６】
【特許文献１】実開平５−１７９４４号公報
【特許文献２】実開平５−８７８３７号公報
【特許文献３】特開２００９−２５２５２６号公報
【特許文献４】特開２００９―２５２５２８号公報
【発明の概要】
【発明が解決しようとする課題】
【０００７】
特許文献１記載の「コネクタ」は、コンタクトの特定部分のみの摩耗を防止することができるが、接続時の挿入抵抗力を低減することはできず、コネクタ雌端子とコネクタ雄端子との接触部分への塵埃の噛み込みを防止することも困難である。
【０００８】
一方、特許文献２記載の「コネクタの雄端子構造」は、接続時の挿入抵抗力を低減することができるが、接続時、雌端子のアーム片表面の突起が接触するガイド溝の底面の後端寄りの部分に摩耗が発生し易い。
【０００９】
また、特許文献３，４記載の「雄端子」は、接続時の挿入抵抗力を低減することが可能であるが、突出部が摩耗し易く、コネクタ雌端子とコネクタ雄端子との接触部分への塵埃の噛み込みを防止することも困難である。
【００１０】
本発明が解決しようとする課題は、接続時の挿入抵抗力を低減するとともに、コネクタ雌端子とコネクタ雄端子との接触部への塵埃の噛み込みを防止することができ、電気的接続信頼性にも優れたコネクタ雄端子を提供することにある。
【課題を解決するための手段】
【００１１】
本発明のコネクタ雄端子は、四角柱形状の本体部と、前記本体部と一体に連設された四角錐台形状の先端部と、を備え、対向配置されたコネクタ雌端子に挿着して電気的接続を形成するコネクタ雄端子であって、前記コネクタ雌端子に対する挿着過程において前記コネクタ雌端子が摺動通過する領域である、前記本体部の対向する二つの平面部のみに凹部を設け、
前記凹部が、前記コネクタ雌端子の摺動通過方向に沿って延設された凹溝であって、前記凹溝の前縁が挿着方向に向かって開口し、後縁が閉塞された形状であり、前記凹溝の横断面形状がＵ字形状であることを特徴とする。
【００１２】
このような構成とすれば、コネクタ雌端子に対する挿着過程において、コネクタ雄端子の凹部はコネクタ雌端子と非接触状態に保たれるので、コネクタ雌端子との接触面積が小さくなり、摩擦力が減る結果、接続時の挿入抵抗力を低減することができる。また、コネクタ雌端子との摺動によって生じるメッキ滓などの塵埃は凹部内に集積されるため、コネクタ雌端子とコネクタ雄端子との接触部への塵埃の噛み込みを防止することができる。
【００１３】
さらに、コネクタ雌端子が摺動通過する領域のみに凹部を設けたことにより、コネクタ雌端子への挿着完了時点では、コネクタ雌端子の接触部は、コネクタ雄端子の周面において、凹部の存在しない部分に位置するため、必要とする接触面積を確保することができ、電気的接続信頼性にも優れている。
【００１４】
また、本発明のコネクタ雄端子は、四角柱形状の本体部と、前記本体部と一体に連設された四角錐台形状の先端部と、を備え、対向配置されたコネクタ雌端子に挿着して電気的接続を形成するコネクタ雄端子であって、前記コネクタ雌端子に対する挿着過程において前記コネクタ雌端子が摺動通過する領域である、前記本体部の対向する二つの平面部のみに凹部を設け、
前記凹部が、前記コネクタ雌端子の摺動通過方向に沿って延設された凹溝であって、前記凹溝の平面視形状が、その前縁から後縁に向かって縮幅するＶ字形状であり、前記凹溝の前縁が挿着方向に向かって開口し、後縁が閉塞された形状であり、前記凹溝の底面は前記本体部の平面部と平行をなす平面形状をなしていることを特徴とする。
【００１５】
このような構成としたことにより、対向配置されたコネクタ雌端子がそれぞれ摺動通過する複数の領域における摩擦力を減らすことができるため、接続時の挿入抵抗力の低減に有効である。
【００１６】
さらに、本発明のコネクタ雄端子は、四角柱形状の本体部と、前記本体部と一体に連設された四角錐台形状の先端部と、を備え、対向配置されたコネクタ雌端子に挿着して電気的接続を形成するコネクタ雄端子であって、前記コネクタ雌端子に対する挿着過程において前記コネクタ雌端子が摺動通過する領域である、前記本体部の対向する二つの平面部のみに凹部を設け、
前記凹部が、前記コネクタ雌端子の摺動通過方向に沿って延設された凹溝であって、前記凹溝の前縁が挿着方向に向かって開口し、後縁が挿着方向に向かって下り勾配をなす斜面により、前記本体部の平面部に連続した形状をなし、前記凹溝の底面が前記平面部と平行をなす平面形状をなしていることを特徴とする。
【００１７】
このような構成としたことにより、コネクタ雌端子に挿着する方向の摩擦力を減らすことができるので、接続時の挿入抵抗力をさらに低減することができる。
【００１８】
また、本発明のコネクタ雄端子においては、凹溝の前縁が挿着方向に向かって開口し、後縁が閉塞された形状とすることができる。ここで、前記「前縁」及び「後縁」における「前」、「後」は、接続時、コネクタ雌端子に向かって近づく方向を「前」とし、その１８０度反対方向を「後」とするものである（以下、同じ。）。
【００１９】
このような構成とすれば、コネクタ雌端子との摺動によって生じるメッキ滓などの塵埃を、開口した前縁部分から凹部内に導き入れ、閉塞された後縁部分で塞き止めるように集積することができるため、コネクタ雌端子とコネクタ雄端子との接触部への塵埃の噛み込み防止に有効である。
【００２０】
さらに、本発明のコネクタ雄端子においては、前記凹溝の平面視形状を、その前縁から後縁に向かって縮幅するＶ字形状としたり、前記凹溝の横断面形状をＵ字形状としたりすることもできる。
【００２１】
このような構成とすれば、前記凹溝と同等に、コネクタ雌端子との摺動によって生じるメッキ滓などの塵埃を、開口した前縁部分から凹部内へ導き入れ、閉塞された後縁部分で塞き止めるように集積することができるため、コネクタ雌端子とコネクタ雄端子との接触部への塵埃の噛み込み防止に有効である。
【発明の効果】
【００２２】
本発明により、接続時の挿入抵抗力を低減するとともに、コネクタ雌端子とコネクタ雄端子との接触部への塵埃の噛み込みを防止することができ、電気的接続信頼性にも優れたコネクタ雄端子を提供することができる。
【図面の簡単な説明】
【００２３】
【図１】本発明の第１実施形態であるコネクタ雄端子を備えた電気コネクタを示す斜視図である。
【図２】図１に示すコネクタ雄端子を示す斜視図である。
【図３】コネクタ雌端子に対する挿着過程を示す断面図である。
【図４】図３の一部拡大図である。
【図５】コネクタ雌端子に対する挿着過程を示す断面図である。
【図６】図５の一部拡大図である。
【図７】コネクタ雌端子に対する挿着が完了した状態を示す断面図である。
【図８】図７の一部拡大図である。
【図９】本発明の第２実施形態であるコネクタ雄端子を示す斜視図である。
【図１０】本発明の第３実施形態であるコネクタ雄端子を示す斜視図である。
【図１１】本発明の第４実施形態であるコネクタ雄端子を示す斜視図である。
【発明を実施するための形態】
【００２４】
図１〜図３に示すように、本実施形態のコネクタ雄端子１００は、絶縁材料で形成された箱型のハウジング１０に複数本配列することによって雄側コネクタ１１を構成する部材である。コネクタ雄端子１００は、対向配置された一対のコネクタ雌側接触子１２，１３の間に挿着して電気的接続を形成するものであり、コネクタ雌側接触子１２，１３に対する挿着過程においてコネクタ雌側接触子１２，１３が摺動通過する領域１０１にそれぞれ凹溝１０２，１０３が設けられている。コネクタ雄端子１００は四角柱形状の本体部１００ｂと、本体部１００ｂと一体に連設された四角錐台形状の先端部１００ａと、を備えている。本体部１００ｂの対向する二つの平面部１００ｃ，１００ｄにそれぞれ凹溝１０２，１０３が設けられている。
【００２５】
凹溝１０２，１０３は、コネクタ雌側接触子１２，１３の摺動通過方向１０４に沿って延設され、凹溝１０２，１０３の長手方向は摺動通過方向１０４と平行をなし、それぞれの底面は本体部１００ｂの平面部１００ｃ，１００ｄと平行をなしている。また、凹溝１０２の前縁１０２ａが挿着方向１０５に向かって開口し、後縁１０２ｂが閉塞された形状をなしている。図示していないが、凹溝１０３の前縁、後縁も凹溝１０２の前縁１０２ａ，１０２ｂと同じ形状をなしている。また、コネクタ雌側接触子１２の先端側には、挿着方向１０５の断面形状がＶ字状をなす接触部１２ａが設けられ、コネクタ雌側接触子１３の先端側には前記断面形状が台形状をなす接触部１３ａが設けられている。
【００２６】
ここで、図３〜図８を参照しながら、コネクタ雌側接触子１２，１３に対するコネクタ雄端子１００の挿着過程について説明する。図３，図４に示すように、対向配置された一対のコネクタ雌側接触子１２，１３の間に、コネクタ雄端子１００の先端部１００ａを挿入すると、コネクタ雄端子１００の先端部１００ａの上面がコネクタ雌側接触子１２の接触部１２ａに接触し、コネクタ雄端子１００の本体部１００ｂの下側の平面部１００ｄがコネクタ雌側接触子１３の接触部１３ａに接触する。
【００２７】
図５，図６に示すように、コネクタ雄端子１００を挿着方向１０５に沿ってさらに押し込むと、コネクタ雌側接触子１２の接触部１２ａがコネクタ雄端子１００の本体部１００ｂの上側の平面部１００ｃに乗り上がり、コネクタ雄端子１００の本体部１００ｂの下側の平面部１００ｄがコネクタ雌側接触子１３の接触部１３ａに接触する。このとき、コネクタ雌側接触子１２の接触部１２ａは凹溝１０２と非接触状態にあり、コネクタ雌側接触子１３の接触部１３ａは凹溝１０３と非接触状態にある。
【００２８】
図７，図８に示すように、コネクタ雄端子１００が所定位置まで装着されると、コネクタ雌側接触子１２の接触部１２ａが、凹溝１０２の後縁１０２ｂより後方に位置し、コネクタ雄端子１００の本体部１００ｂの上側の平面部１００ｃに接触するとともに、コネクタ雌側接触子１３の接触部１３ａの過半領域がコネクタ雄端子１００の本体部１００ｂの下側の平面部１００ｄに接触した状態となり、コネクタ雌側接触子１２，１３に対するコネクタ雄端子１００の挿着が完了する。
【００２９】
以上のように、コネクタ雌側接触子１２，１３に対するコネクタ雄端子１００の挿着過程において、凹溝１０２，１０３はコネクタ雌側接触子１２，１３と非接触状態に保たれるので、コネクタ雌側接触子１２，１３とコネクタ雄端子１００との接触面積が小さくなり、摩擦力が減る結果、接続時の挿入抵抗力を低減することができる。また、コネクタ雌側接触子１２，１３との摺動によって生じるメッキ滓などの塵埃は凹溝１０２，１０３内に集積されるため、コネクタ雌側接触子１２，１３とコネクタ雄端子１００との接触部への塵埃の噛み込みを防止することができる。
【００３０】
さらに、コネクタ雌側接触子１２，１３が摺動通過する領域のみに凹溝１０２，１０３を設けたことにより、コネクタ雌側接触子１２，１３への挿着完了時点では、図７に示すように、コネクタ雌側接触子１２の接触部１２ａ及びコネクタ雌側接触子１３の接触部１３ｂの過半領域は、コネクタ雄端子１００の平面部１００ｃ，１００ｄにおいて、凹溝１０２，１０３の存在しない部分に位置するため、電気的導通に必要な接触面積を確保することができ、電気的接続信頼性にも優れている。
【００３１】
一方、凹溝１０２，１０３を、コネクタ雌側接触子１２，１３の接触部１２ａ，１３ａが摺動通過する領域１０１のそれぞれに設けたことにより、対向配置されたコネクタ雌側接触子端子１２，１３がそれぞれ摺動通過する複数の領域における摩擦力を減らすことができるため、接続時の挿入抵抗力の低減に有効である。
【００３２】
また、凹溝１０２，１０３の前縁１０２ａ，１０３ａが挿着方向１０５に向かって開口し、後縁１０２ｂ，１０３ｂが閉塞された形状としたことにより、コネクタ雌側接触子１２，１３との摺動によって生じるメッキ滓などの塵埃を、開口した前縁１０２ａ，１０３ａ部分から凹溝１０２，１０３内に導き入れ、閉塞された後縁１０２ｂ，１０３ｂ部分で塞き止めるように凹溝１０２，１０３内に集積することができるため、コネクタ雌側接触子１２，１３とコネクタ雄端子１００との接触部への塵埃の噛み込み防止に有効である。
【００３３】
次に、図９，図１０及び図１１に基づいて、本発明の第２，３及び４実施形態であるコネクタ雄端子２００，３００及び４００について説明する。なお、コネクタ雄端子２００，３００及び４００において、凹溝２０２，３０２，４０２以外の部分については、図２に示すコネクタ雄端子１００の構成部分と同じ形状、機能を有するので、図２中の符号と同符号を付して説明を省略する。
【００３４】
図９に示すコネクタ雄端子２００においては、コネクタ雌側接触子１２，１３（図３参照）に対する挿着過程においてコネクタ雌側接触子１２，１３が摺動通過する領域２０１に、横断面形状がＵ字形状をなす凹溝２０２を設けている。凹溝２０２の前縁２０２ａは挿着方向１０５に向かって開口し、後縁２０２ｂは閉塞された形状をなしている。
【００３５】
図１０に示すコネクタ雄端子３００においては、コネクタ雌側接触子１２，１３（図３参照）に対する挿着過程においてコネクタ雌側接触子１２，１３が摺動通過する領域３０１に、平面視形状が、その前縁３０２ａから後縁３０２ｂに向かって縮副するＶ字形状をなす凹溝３０２を設けている。凹溝３０２の前縁３０２ａは挿着方向１０５に向かって開口し、後縁３０２ｂは閉塞された形状をなし、その底面は本体部１００ｂの平面部１００ｃと平行をなす平面形状をなしている。
【００３６】
図９に示すように凹溝２０２の横断面形状をＵ字形状としたり、図１０に示すように凹溝３０２の平面視形状をＶ字形状としたりすれば、図３に示す凹溝１０２，１０３と同様に、コネクタ雌側接触子１２，１３とコネクタ雄端子２００，３００との接触面積が小さくなり摩擦力が減る結果、接続時の挿入抵抗力を低減することができる。また、コネクタ雌側接触子１２，１３との摺動によって生じるメッキ滓などの塵埃は凹溝２０２，３０２内に集積されるため、コネクタ雌側接触子１２，１３とコネクタ雄端子２００，３００との接触部への塵埃の噛み込みを防止することができる。
【００３７】
図１１に示すコネクタ雄端子４００においては、コネクタ雌側接触子１２，１３（図３参照）に対する挿着過程においてコネクタ雌側接触子１２，１３が摺動通過する領域４０１に、凹溝４０２を設けている。凹溝４０２の前縁４０２ａは挿着方向１０５に向かって開口し、後縁４０２ｂは挿着方向１０５に向かって下り勾配をなす斜面４０２ｃにより、本体部１００ｂの平面部１００ｃに連続した形状をなしている。凹溝４０２の底面は平面部１００ｃと平行をなす平面形状をなしている。
【００３８】
上記構成により、前述した凹溝１０２，２０２，３０２と同様に、コネクタ雌側接触子１２，１３とコネクタ雄端子４００との接触面積が小さくなり摩擦力が減る結果、接続時の挿入抵抗力を低減することができる。また、凹溝４０２の後縁４０２ｂを、斜面４０２ｃを介して、平面部１００ｃに連続させたことにより、凹溝縁の加工痕を低減することができる。また、コネクタ雌側接触子１２，１３との摺動によって生じるメッキ滓などの塵埃は凹溝４０２内に集積されるため、コネクタ雌側接触子１２，１３とコネクタ雄端子４００との接触部への塵埃の噛み込みを防止することができる。
【００３９】
なお、前述したコネクタ雄端子１００，２００，３００，４００は、それぞれ本発明の一例を示すものであり、本発明のコネクタ雄端子がこれらのコネクタ雄端子１００，２００，３００，４００に限定されるものではない。
【産業上の利用可能性】
【００４０】
本発明のコネクタ雄端子は、電気回路の接続手段である電気コネクタの構成部材として、電気・電子機器産業や自動車産業などの分野において広く利用することができる。
【符号の説明】
【００４１】
１０  ハウジング
１１  雄側コネクタ
１２，１３  コネクタ雌側接触子
１２ａ，１３ａ  接触部
１００，２００，３００，４００  コネクタ雄端子
１００ａ  先端部
１００ｂ  本体部
１００ｃ，１００ｄ  平面部
１０１  領域
１０２，１０３，２０２，３０２，４０２  凹溝
１０２ａ，２０２ａ，３０２ａ，４０２ａ  前縁
１０２ｂ，２０２ｂ，３０２ｂ，４０２ｂ  後縁
１０４  摺動通過方向
１０５  挿着方向
４０２ｃ  斜面
【図１】
0005397447.tif 000002
【図２】
0005397447.tif 000003
【図３】
0005397447.tif 000004
【図４】
0005397447.tif 000005
【図５】
0005397447.tif 000006
【図６】
0005397447.tif 000007
【図７】
0005397447.tif 000008
【図８】
0005397447.tif 000009
【図９】
0005397447.tif 000010
【図１０】
0005397447.tif 000011
【図１１】
0005397447.tif 000012